(57)【特許請求の範囲】
【請求項１】
エアゾール缶１の上面の環状突部２に肩カバー装着用の基筒４を嵌着して、該基筒の外周に肩カバー５を水平回動自在に嵌合させ、その環状突部２の中央に位置するステム３に嵌着した押下げ噴出ヘッド６に上記肩カバー５との従回動手段７を講じ、また、上記基筒４と上記押下げ噴出ヘッド６との間には、該押下げ噴出ヘッドの水平面内所定方向でのみ働く押下げ噴出ヘッド下降阻止手段８を講じ、更に、上記基筒４と上記肩カバー５との間には、該肩カバーの水平面内所定方向でのみ機能する肩カバー抜出手段９を講じたことを特徴とするエアゾール容器。
【請求項２】
上記従回動手段７として、上記肩カバー５と上記押下げ噴出ヘッド６との間を適所にてヒンジ11を介して連結させた請求項１記載のエアゾール容器。
【請求項３】
上記従回動手段７として、上記肩カバー５と上記押下げ噴出ヘッド６との間を適所にてスプライン12を介して連結させた請求項１記載のエアゾール容器。
【請求項４】
上記押下げ噴出ヘッド下降阻止手段８として、上記基筒４と上記押下げ噴出ヘッド６との間に、該押下げ噴出ヘッドの水平面内所定方向で衝合するストッパー13と衝合舌片14とを配設した請求項１、請求項２又は請求項３記載のエアゾール容器。
【請求項５】
上記肩カバー抜出手段９として、上記基筒４と上記肩カバー５との間に、相互に摺動自在に係合する係止突条15と係合突条16とを水平設するとともに、両者の係合に肩カバー５の水平面内所定方向にて無係合域17を形成した請求項１、請求項２、請求項３又は請求項４記載のエアゾール容器。
【発明の詳細な説明】
【０００１】
【発明の属する技術分野】
本発明は、エアゾール容器に関するものである。
【０００２】
【従来の技術】
金属製のエアゾール缶は、通常、上面中央に押し下げによって内容物を吐出する弁付きのステムを備えており、該ステムの周りには、製缶過程で生じる環状突部（巻締め接合部）を有している。そして、そのステムには、合成樹脂製の押下げ噴出ヘッドを嵌着しており、また、多くの場合、その環状突部に合成樹脂製の肩カバーを嵌装している。
【０００３】
ところで、本出願人は、この種のエアゾール容器において、既に次のものを開発している。
▲１▼  商品流通過程等での押下げ噴出ヘッドの無用な押し下げを防止するようにしたもの（例えば特開平8‐324660号公報）。
▲２▼  廃棄時に資源ゴミとしての分別回収に供するために金属製のエアゾール缶と合成樹脂製の押下げ噴出ヘッド及び肩カバーとを容易に分離できるようにしたもの（例えば特開平9‐58766 号公報）。
【０００４】
【発明が解決しようとする課題】
本発明は、これらの開発の一環として、それらの機能を併せ具有する合理的かつ簡潔で便利なエアゾール容器を提供しようとするものである。
【０００５】
【課題を解決するための手段】
上記目的達成のため、請求項１の発明は、エアゾール缶１の上面の環状突部２に肩カバー装着用の基筒４を嵌着して、該基筒の外周に肩カバー５を水平回動自在に嵌合させ、その環状突部２の中央に位置するステム３に嵌着した押下げ噴出ヘッド６に上記肩カバー５との従回動手段７を講じ、また、上記基筒４と上記肩カバー５との間には、該肩カバーの水平面内所定方向でのみ機能する肩カバー抜出手段８を講じ、更に、上記基筒４と上記押下げ噴出ヘッド６との間には、該押下げ噴出ヘッドの水平面内所定方向でのみ働く押下げ噴出ヘッド下降阻止手段９を講じたことを特徴とする。
【０００６】
請求項２の発明は、請求項１のエアゾール容器にあって、上記従回動手段７として、上記肩カバー５と上記押下げ噴出ヘッド６との間を適所にてヒンジ11を介して連結させて成る。
【０００７】
請求項３の発明は、請求項１のエアゾール容器にあって、上記従回動手段７として、上記肩カバー５と上記押下げ噴出ヘッド６との間を適所にてスプライン12を介して連結させて成る。
【０００８】
請求項４の発明は、請求項１、請求項２又は請求項３のエアゾール容器にあって、上記押下げ噴出ヘッド下降阻止手段８として、上記基筒４と上記押下げ噴出ヘッド６との間に、該押下げ噴出ヘッドの水平面内所定方向で衝合するストッパー13と衝合舌片14とを配設して成る。
【０００９】
請求項４の発明は、請求項１、請求項２、請求項３又は請求項４のエアゾール容器にあって、上記肩カバー抜出手段９として、上記基筒４と上記肩カバー５との間に、相互に摺動自在に係合する係止突条15と係合突条16とを水平設するとともに、両者の係合に肩カバー５の水平面内所定方向にて無係合域17を形成して成る。
【００１０】
【発明の実施の形態】
その1.
図１乃至図８は、本発明の請求項１、請求項２、請求項４、請求項５に係る実施の形態を示している。
図において、１は、金属製の既成のエアゾール缶、２は、該エアゾール缶の製缶過程で缶上面に生じた環状突部（巻締め接合部）、３は、該環状突部の囲成内部の上面中央に設けたステムであり、該ステムは、押し下げによって内容物を吐出する弁付きのものである。
【００１１】
４は、エアゾール缶１の上記環状突部２に嵌着した基筒、５は、該基筒の外周に水平回動自在に嵌合させた肩カバー、６は、上記ステム３に嵌着した押下げ噴出ヘッド（例えば噴霧用）、７は、該押下げ噴出ヘッドに講じた上記肩カバー５との従回動手段、８は、上記基筒４と上記押下げ噴出ヘッド６との間に、該押下げ噴出ヘッドの水平面内所定方向でのみ働くようにして設けた押下げ噴出ヘッド下降阻止手段、９は、上記基筒４と上記肩カバー５との間に、該肩カバーの水平面内所定方向でのみ機能するようにして設けた肩カバー抜出手段、10は、上記基筒４と上記肩カバー５との間に設けた水平回動のための位置合せ手段であり、これらの構成部材は合成樹脂により成形して成る。
【００１２】
基筒４は、上記環状突部２に適合させて環状に形成しており、下部にてその環状突部２の内周へ嵌合させる主筒18の中途部外周から係合外筒19を垂設して、その環状突部２の内外に嵌着係合させている。
肩カバー５は、上部を基筒４における主筒18の上部外周に回動自在に嵌合させ、下部を基筒４における係合外筒19の外周に遊嵌させている。また、押下げ噴出ヘッド６は、外径をその主筒18の内径よりやや小さくして、主筒内への押し下げを可能にしている。
【００１３】
押下げ噴出ヘッド６の従回動手段７は、肩カバー５と押下げ噴出ヘッド６との間を、前部にて薄肉ヒンジ11を介して一体に連結させることで形成しており、したがって、押下げ噴出ヘッド６は肩カバー５の水平回動に追随する。
【００１４】
押下げ噴出ヘッド下降阻止手段８は、基筒４における主筒18の中間部内周の適所に複数のストッパー13を内方へ向けて突設するとともに、これらのストッパーに対応させて押下げ噴出ヘッド６の下面適所に複数の衝合舌片14を配設することにより、これらの衝合舌片が押下げ噴出ヘッド６の水平面内所定方向でそれらのストッパーと衝合して押下げ噴出ヘッド６の押し下げを阻止するよう形成している。
【００１５】
肩カバー抜出手段９は、基筒４における主筒18の上端外縁に係止突条15を、また、肩カバー５の上部内周に係合突条16を設けて相互に摺動自在に係合させることで抜け出しを防止する一方、それらの係止突条15、係合突条16を部分的に切除してそれぞれに複数の切除部20を形成するとともに、残る係止突条15と係合突条16の長さと位置をそれらの切除部20の幅と位置に相互に互い違いに適合させることで、両者間に肩カバー５の水平面内所定方向でのみ機能する無係合域17を形成して、肩カバー５の上方への抜け出しを可能にしている。
【００１６】
位置合せ手段10は、肩カバー５の後部上面に扇形の切欠部21を設け、該切欠部に対応させて基筒４の後部上端面から突当て突子25を立設して切欠部21内へと臨ませており、そして、押下げ噴出ヘッド下降阻止手段８との関係、肩カバー抜出手段９との関係において、次のようにしている。
(1) 押下げ噴出ヘッド下降阻止手段８との関係において、肩カバー５を一方へ回動させて、切欠部21の一側壁面22が突当て突子25に突き当たったところ、すなわち、図１の「ＯＦＦ」の表示の位置で、衝合舌片14がストッパー13に衝合して押下げ噴出ヘッド６の下降が阻止され、また、肩カバー５を他方へ回動させて、切欠部21の他側壁面23が突当て突子25に突き当たったところ、すなわち、図１の「ＯＮ」の表示の位置で、衝合舌片14がストッパー13に対しフリーになって押下げ噴出ヘッド６の下降が可能となるよう設定している。
(2) 肩カバー抜出手段９との関係において、肩カバー５を適宜に回動させて、切欠部21の中央24が突当て突子25の位置に来たところで、基筒４側の係止突条15の切除部20と、該切除部20の幅に適合した長さの肩カバー５側の係合突条16が位置的に合致し、また、肩カバー５側の係合突条16の切除部20と、該切除部20の幅に適合した長さの基筒４側の係止突条15も位置的に合致して、すなわち、両者間の無係合域17が機能して、肩カバー５の上方への抜け出しが可能となるよう設定している。
【００１７】
如上の構成であるから、商品流通過程にあるときは、位置合せ手段10を押下げ噴出ヘッド下降阻止手段８との関係においてその押下げ噴出ヘッドの下降阻止態勢にセットする。つまり、図１の状態において、肩カバー５を時計方向に回動させて、「ＯＦＦ」の表示の位置を突当て突子25に合致させたときは、押下げ噴出ヘッド６も薄肉ヒンジ11を介して従回動し、図２に示すよに、該押下げ噴出ヘッド６の衝合舌片14が基筒４のストッパー13に衝合して、押下げ噴出ヘッド６の下降が阻止される。したがって、商品流通過程での内容物の無用の噴出を防止することができる。勿論、需要者においても、これを利用することができる。
【００１８】
次に、需要者が内容物を噴出させるときは、位置合せ手段10を押下げ噴出ヘッド下降阻止手段８との関係においてその押下げ噴出ヘッドの下降可能態勢にセットする。つまり、その肩カバー５を反時計方向に回動させて、図１に示すように、「ＯＮ」の表示の位置を突当て突子25に合致させたときは、押下げ噴出ヘッド６も薄肉ヒンジ11を介して従回動し、図２に示すように、その衝合舌片14がストッパー13の位置から外れて、押下げ噴出ヘッド６が下降可能となる。したがって、この状態でその押下げ噴出ヘッド６を押し下げれば、内容物の噴出を得ることができる。
【００１９】
内容物を使い切って、このエアゾール容器を廃棄するときは、位置合せ手段10を肩カバー抜出手段９との関係においてその肩カバーの抜け出し態勢にセットする。つまり、押下げ噴出ヘッド下降阻止手段８に関する「ＯＦＦ」「ＯＮ」の状態では、図８のＡ、Ｂに示すように、基筒４の係止突条15と肩カバー５の係合突条16とが係合状態にあって、肩カバー５は抜け出し不能であるが、肩カバー５を回動させて切欠部21の中央24（図１）を突当て突子25の位置に合致させたときは、図８のＣに示すように、肩カバー５の係合突条16が基筒４の係止突条15の切除部20に位置し、同時に、基筒４の係止突条15も肩カバー５の係合突条16の切除部20に位置して、両者間の無係合域17が機能し、肩カバー５の上方への抜け出しが可能となる。したがって、この状態で肩カバー５を上方へと引いて基筒４から離脱させることができ、押下げ噴出ヘッド６も薄肉ヒンジ11を介して一緒にステム３から離脱させることができ、また、その後には、基筒４も、これを指でつまんで環状突部２から離脱させることができて、これらの合成樹脂製部材を金属製のエアゾール缶１から簡単に取り外すことができ、分別回収に供することができる。
【００２０】
その2.
図９乃至図１６は、本発明の請求項１、請求項３、請求項４、請求項５に係る実施の形態を示している。
この場合、上述の実施の形態その1.のものにおいて、押下げ噴出ヘッド６の肩カバー５との従回動手段７のみを異にする。すなわち、肩カバー５と押下げ噴出ヘッド６との間を、適所にてスプライン12を介して連結させることで従回動手段７を形成させている。ただし、この場合、スプライン12による従回動手段７であるから、肩カバー５を引き抜いても押下げ噴出ヘッド６を追随させることができないため、押下げ噴出ヘッド６を別に引き抜く必要がある。また、このことは、肩カバー５を単一部材として離脱させることであるから、図１６に示すように、この肩カバー５を倒立状態で基筒４の主筒18上部に嵌合させることで、この肩カバー５を基筒用取外治具に利用することができる。
その他は、上述の実施の形態その1.と実質的に同じであるから、上述の説明をもってここでの説明を省略する。
【００２１】
【発明の効果】
請求項１、請求項２、請求項３、請求項４、請求項５の発明によれば、エアゾール缶１上面の環状突部２に嵌着した基筒４の外周に、肩カバー５を水平回動自在に嵌合させ、ステム３に嵌着した押下げ噴出ヘッド６に、その肩カバー５との従回動手段７を講じ、基筒４と押下げ噴出ヘッド６との間に、該押下げ噴出ヘッドの水平面内所定方向でのみ働く押下げ噴出ヘッド下降阻止手段８を講じ、基筒４と肩カバー５との間に、該肩カバーの水平面内所定方向でのみ機能する肩カバー抜出手段９を講じているので、押下げ噴出ヘッド下降阻止手段８と肩カバー抜出手段９とを、肩カバー５を水平回動させるだけの共通の操作で簡単に機械的に制御でき、もって、押下げ噴出ヘッド下降阻止手段８により押下げ噴出ヘッド６の押し下げを阻止して、商品流通過程で或いは需要者において内容物の無用の噴出を防止でき、また、これを解除させることにより押下げ噴出ヘッド６の押し下げを可能にして、内容物の任意な噴出を得ることができ、更に、廃棄に際し肩カバー抜出手段９により肩カバー５を基筒４から簡単に離脱させることができ、これに伴い押下げ噴出ヘッド６及び基筒４もエアゾール缶１から簡単に離脱させることができて、これらの合成樹脂製部材を金属製のエアゾール缶１から支障なく容易に分離させることができ、分別回収に供することができる。
【００２２】
加えて、請求項２の発明によれば、従回動手段７として、肩カバー５と押下げ噴出ヘッド６との間をヒンジ11を介して連結させているので、極めて簡単な構成とすることができるばかりでなく、肩カバー５の引き抜きに伴い押下げ噴出ヘッド６も一緒に引き抜きできて便利である。
【００２３】
請求項３の発明によれば、従回動手段７として、上記肩カバー５と押下げ噴出ヘッド６との間をスプライン12を介して連結させているので、極めて簡単な構成とすることができるばかりでなく、肩カバー５を単一部材として離脱させることができて、この肩カバー５を倒立状態にて基筒４に嵌合させることで基筒用取外治具として使用できて便利である。
【００２４】
請求項４の発明によれば、押下げ噴出ヘッド下降阻止手段８として、基筒４と押下げ噴出ヘッド６との間に、該押下げ噴出ヘッドの水平面内所定方向で衝合するストッパー13と衝合舌片14とを配設しており、また、請求項５の発明によれば、肩カバー抜出手段９として、基筒４と肩カバー５との間に、相互に摺動自在に係合する係止突条15と係合突条16とを水平設するとともに、両者の係合に肩カバー５の水平面内所定方向にて無係合域17を形成しているので、いずれの場合も構造を簡潔にでき、的確な動作を得ることができる。
【図面の簡単な説明】
【図１】  請求項１、請求項２、請求項４、請求項５の発明に係る実施の形態その1.を示す斜視図である。
【図２】  同実施の形態その1.における押下げ噴出ヘッド下降阻止態勢での截断側面図である。
【図３】  同実施の形態その1.における押下げ噴出ヘッド下降可能態勢での截断側面図である。
【図４】  同実施の形態その1.における主要部材の分解斜視図である。
【図５】  同実施の形態その1.における肩カバーの下面図である。
【図６】  同実施の形態その1.における基筒の上面図である。
【図７】  同実施の形態その1.における基筒の下面図である。
【図８】  同実施の形態その1.における肩カバー抜出手段に係る説明図である。
【図９】  請求項１、請求項３、請求項４、請求項５の発明に係る実施の形態その2.を示す斜視図である。
【図１０】同実施の形態その2.における押下げ噴出ヘッド下降阻止態勢での截断側面図である。
【図１１】同実施の形態その2.における押下げ噴出ヘッド下降可能態勢での截断側面図である。
【図１２】同実施の形態その2.における主要部材の分解斜視図である。
【図１３】同実施の形態その2.における肩カバーの下面図である。
【図１４】同実施の形態その2.における基筒の上面図である。
【図１５】同実施の形態その2.における基筒の下面図である。
【図１６】同実施の形態その2.における肩カバーを基筒用取外治具に利用した状態を示す截断側面図である。
【符号の説明】
１…エアゾール缶                ２…環状突部
３…ステム                      ４…基筒
５…肩カバー                    ６…押下げ噴出ヘッド
７…従回動手段
８…押下げ噴出ヘッド下降阻止手段
９…肩カバー抜出手段            10…位置合せ手段
11…薄肉ヒンジ                  12…スプライン
13…ストッパー                  14…衝合舌片
15…係止突条                    16…係合突条
17…無係合域                    18…主筒
19…係合外筒                    20…切除部
21…切欠部                      22…一側壁面
23…他側壁面                    24…中央
25…突当て突子
【図１】
0003688468.tif 000002
【図２】
0003688468.tif 000003
【図３】
0003688468.tif 000004
【図４】
0003688468.tif 000005
【図５】
0003688468.tif 000006
【図６】
0003688468.tif 000007
【図７】
0003688468.tif 000008
【図８】
0003688468.tif 000009
【図９】
0003688468.tif 000010
【図１０】
0003688468.tif 000011
【図１１】
0003688468.tif 000012
【図１２】
0003688468.tif 000013
【図１３】
0003688468.tif 000014
【図１４】
0003688468.tif 000015
【図１５】
0003688468.tif 000016
【図１６】
0003688468.tif 000017